(57)【要約】【課題】ペットの体を洗浄するペット洗浄装置において、洗浄水ノズルからの洗浄水の散水を良好に行って洗浄力を高める。【解決手段】ペット１の胴体の前後方向に位置付けられて胴体の上部に載置される少なくとも一対の保持部材２と、ペット１の胴体の表面との間に隙間をもって保持部材２に取付けられ、洗浄水が供給される給水口４と胴体に向けて開口した複数の洗浄水ノズル５とが形成された中空体３と、保持部材２と中空体３とをペット１の洗浄部分と共に覆うシート９とを有する。これにより、洗浄水ノズル５がペット１の胴体の表面に密着して閉止されるということが起こらず、洗浄水ノズル５からの洗浄水の散水が良好に行われ、洗浄力が高くなる。【選択図】    図１
2004290139.tif 000002
【特許請求の範囲】
【請求項１】
ペットの胴体の前後方向に位置付けられて前記胴体の上部に載置される少なくとも一対の保持部材と、
前記ペットの胴体の表面との間に隙間をもって前記保持部材に取付けられ、洗浄水が供給される給水口と前記胴体の表面に向けて開口した複数の洗浄水ノズルとが形成された中空体と、
前記保持部材と前記中空体とを前記ペットの洗浄部分と共に覆うシートと、
を有するペット洗浄装置。
【請求項２】
ペットの胴体の前後方向に位置付けられて前記胴体の上部に載置される少なくとも一対の保持部材と、
前記ペットの胴体の前後方向に延出して前記保持部材に固定されたガイド部材と、
前記ガイド部材に前記ペットの胴体の前後方向に沿ってスライド自在に取付けられ、洗浄水が供給される給水口と前記胴体の表面との間に隙間をもって開口された洗浄水ノズルとが形成されたスライド体と、
前記保持部材と前記ガイド部材と前記スライド体とを前記ペットの洗浄部分と共に覆うシートと、
を有するペット洗浄装置。
【請求項３】
前記シートに、前記ガイド部材に対向するスリットとこのスリットを開閉する２組のジッパーとが設けられ、前記２組のジッパーのそれぞれ開閉操作側の端部が前記スライド体に連結されている請求項２記載のペット洗浄装置。
【請求項４】
前記シートに、人の手を挿入可能な切れ込み部が形成されている請求項１ないし３のいずれか一記載のペット洗浄装置。
【請求項５】
前記ペットが乗る洗浄水受けトレイと、この洗浄水受けトレイ内に落下した洗浄水を吸引して前記給水口に向けて給水するポンプとを有する請求項１ないし４のいずれか一記載のペット洗浄装置。
【発明の詳細な説明】
【０００１】
【発明の属する技術分野】
本発明は、ペットの体を洗浄するペット洗浄装置に関する。
【０００２】
【従来の技術】
従来、ペットの体を洗浄するためのペット洗浄装置としては様々なものが提案され、実用化されており、その一例としては、ペットの体の洗浄部分を覆うシートと、そのシートの内側に設けられて洗浄水を散水する散水装置とを備えたものが知られている（例えば、特許文献１参照）。
【０００３】
【特許文献１】
実用新案登録第３０２９９８６号公報
【０００４】
【発明が解決しようとする課題】
しかし、上述した特許文献１に開示されたペット洗浄装置では、シートや散水装置の重みで散水装置のノズルがペットの体の表面に押し付けられて密着し、ノズルからの洗浄水の散水がスムーズに行えない箇所が発生し、その部分では十分な洗浄を行えない。
【０００５】
本発明の目的は、ペットの体を洗浄するペット洗浄装置において、洗浄水ノズルからの洗浄水の散水を良好に行って洗浄力を高めることである。
【０００６】
本発明の別の目的は、ペットの体を洗浄するペット洗浄装置において、洗浄したい箇所を集中的に洗浄できるようにすることである。
【０００７】
本発明の別の目的は、ペットの体を洗浄するペット洗浄装置において、洗浄水の有効利用を図ることである。
【０００８】
【課題を解決するための手段】
本発明のペット洗浄装置は、ペットの胴体の前後方向に位置付けられて前記胴体の上部に載置される少なくとも一対の保持部材と、前記ペットの胴体の表面との間に隙間をもって前記保持部材に取付けられ、洗浄水が供給される給水口と前記胴体に向けて開口した複数の洗浄水ノズルとが形成された中空体と、前記保持部材と前記中空体とを前記ペットの洗浄部分と共に覆うシートと、を有する。
【０００９】
したがって、給水口から中空体内へ供給された洗浄水は、洗浄水ノズルからペットの胴体の表面へ向けて散水され、ペットの体の洗浄が行われる。中空体は、ペットの胴体との間に隙間をもって保持部材に取付けられているので、洗浄水ノズルがペットの胴体の表面に密着して閉止されるということが起こらず、洗浄水ノズルからの洗浄水の散水が良好に行われて洗浄力が高くなる。
【００１０】
【発明の実施の形態】
本発明の第１の実施の形態を図１ないし図３に基づいて説明する。本実施の形態では、円弧状に形成され、ペット１の胴体の前後方向の２箇所に載置される一対の保持部材２が設けられ、これらの保持部材２には、ペット１の胴体の前後方向に延出する中空体であるパイプ３の端部がそれぞれ連結されている。
【００１１】
保持部材２は、それぞれ円弧状に形成された内側部材２ａと外側部材２ｂとを有し、これらの内側部材２ａと外側部材２ｂとが複数の連結片２ｃにより隙間をもって連結されている。保持部材２をペット１の胴体に載置したとき、内側部材２ａの内側面が胴体の表面に当接して安定した載置状態が得られるようになっている。
【００１２】
保持部材２へのパイプ３の連結は、パイプ３の端部を内側部材２ａと外側部材２ｂとの間に位置させて行われ、これにより、パイプ３の外周面とペット１の胴体の表面との間に隙間が確保されている。
【００１３】
パイプ３には、一つの給水口４と、複数個の洗浄水ノズル５とが形成されている。洗浄水ノズル５は、ペット１の胴体の表面に向けて下向きに開口されている。
【００１４】
給水口４には給水ホース６の一端が着脱自在に接続され、給水ホース６の他端は水道の蛇口等に接続可能に設けられている。また、給水ホース６の途中には、後述するポンプ７により洗浄水が供給されるホース８が接続されている。
【００１５】
保持部材２には、保持部材２とパイプ３とペット１の洗浄部分とを覆うシート９が着脱可能に取付けられている。シート９の着脱は、外側部材２ｂの外周面に取付けられたマジックテープ１０と、シート９の内周面に取付けられたマジックテープ（図示せず）とを用いて行われている。シート９は、ゴムやビニール等を材料として形成されている。
【００１６】
シート９の側面には、人の手を挿入可能な切れ込み部１１が形成されている。この切れ込み部１１から手を挿入し、ペット１の体を洗浄することができる。
【００１７】
切れ込み部１１からは直接手を挿入してもよく、また、手袋１２に手を入れて挿入してもよい。この手袋１２は、洗浄水が供給される中空部を有する二重構造に形成されている。手袋１２には、中空部に洗浄水を供給するホース１３が接続されるとともに洗浄水の供給を断続する切替コック１４が設けられている。手袋１２の指先部分及び手のひら部分には、マッサージ効果を高めるための複数の凸部１５と、洗浄水が散水される複数の散水孔１６とが形成されている。
【００１８】
また、本実施の形態では、洗浄されるペット１が乗る洗浄水受けトレイ１７が設けられている。洗浄水受けトレイ１７の片隅には、洗浄水ノズル５や散水孔１６から散水された後に洗浄水受けトレイ１７上に落下した洗浄水が排水される排水部１８が形成されている。この排水部１８には、洗浄水をそのまま排水する位置と、洗浄水をポンプ７で吸引してホース８と給水ホース６とを介してパイプ３へ供給することにより再利用する位置とに切替える切替コック（図示せず）が設けられている。洗浄水受けトレイ１７の一部には、ペット１の体を洗浄した洗浄水が落下する領域と区分けされてペットフードが入れられるペットフードトレイ１９が形成されている。
【００１９】
このような構成において、ペット１の体を洗浄する場合には、ペット１を洗浄水受けトレイ１７に乗せ、ペット１の胴体にパイプ３が取付けられている保持部材２を載置し、ペット１の洗浄部分を覆うようにしてシート９を保持部材２に取付け、給水口４に給水ホース６を接続することにより、洗浄の前段階の準備をする。なお、この洗浄の前段階の準備の手順については前後入れ替わってもよく、例えば、シート９の取付けを行った後にペット１を洗浄水受けトレイ１７に乗せるようにしてもよい。
【００２０】
洗浄の前段階の準備が終了した後、水道などから給水ホース６を介してパイプ３内へ洗浄水を供給する。供給された洗浄水は洗浄水ノズル５から散水され、ペット１の体を洗浄することができる。
【００２１】
この洗浄時において、パイプ３がペット１の胴体との間に隙間をもって保持部材２に取付けられているので、洗浄水ノズル５がペット１の胴体の表面に密着して閉止されるということが起こらない。このため、洗浄水ノズル５からの洗浄水の散水が良好に行われ、洗浄力が高くなる。
【００２２】
また、この洗浄時において、手又は手を入れた手袋１２を切れ込み部１１からシート９の内側に挿入することにより、ペット１の体の特に洗浄したい部分を集中的に洗浄することができる。
【００２３】
洗浄水受けトレイ１７上に落下した洗浄水は、排水部１８に設けられている切替コックを排水位置に切り替えておくことにより、そのまま排水される。一方、この切替コックを洗浄水を再利用する位置へ切り替えるとともにポンプ７を駆動することにより、洗浄水受けトレイ１７上に落下した洗浄水をホース８と給水ホース６とを介して再びパイプ３内に供給することができ、洗浄水を繰り返し使用することにより洗浄水の有効利用を図ることができる。
【００２４】
ペット１の洗浄時において、ペット１が落ち着き無く動いてしまうことがある。そのような場合には、ペットフードトレイ１９内にペットフードを入れておくことにより、ペット１がそのペットフードを食べている間にペット１の洗浄を行うことができ、ペット１の洗浄に要する手間を軽減できる。
【００２５】
洗浄水受けトレイ１７は、洗浄水の散水に用いられる部材である保持部材２やパイプ３とは別個に独立した構成であるので、ペット１の洗浄が終了した後は洗浄水受けトレイ１７を立て掛けた状態で収納することができ、ペット洗浄装置の収納に要するスペースを小さくすることができる。
【００２６】
本発明の第２の実施の形態を図４ないし図６に基づいて説明する。なお、図１ないし図３において説明した部分と同じ部分は同じ符号で示し、説明も省略する。
【００２７】
本実施の形態では、一対の保持部材２と、ペット１の胴体の前後方向に延出してその両端部が保持部材２に連結されたガイド部材２１と、このガイド部材２１にスライド自在に取付けられた中空状のスライド体２２とが設けられている。
【００２８】
スライド体２２には、洗浄水が供給される給水口２３と、ペット１の胴体の表面との間に隙間をもって開口されてガイド部材２１の両側に位置する一対の洗浄水ノズル２４とが形成されている。
【００２９】
給水口２３には給水ホース６の一端が着脱自在に接続され、給水ホース６の他端は水道の蛇口等に接続可能に設けられている。
【００３０】
保持部材２には、保持部材２とガイド部材２１とスライド体２２とをペット１の洗浄部分と共に覆うシート２５が着脱可能に取付けられている。シート２５の着脱構造は第１の実施の形態と同じように、マジックテープで行われている。
【００３１】
シート２５におけるこのシート２５を保持部材２に取付けたときにガイド部材２１と対向する部分にはスリット（図示せず）が形成され、このスリットを開閉する２組のジッパー２６が設けられている。２組のジッパー２６のそれぞれの開閉操作側の端部はスライド体２２に連結されている。
【００３２】
このような構成において、ペット１の体を洗浄する場合には、第１の実施の形態と同じように、ペット１を洗浄水受けトレイ１７に乗せ、ガイド部材２１とスライド体２２とが取付けられている保持部材２をペット１の胴体に載置し、ペット１の洗浄部分を覆うようにしてシート２５を保持部材２に取付け、給水口２３に給水ホース６を接続することにより、洗浄の前段階の準備をする。なお、この洗浄の前段階の準備の手順については前後入れ替わってもよく、例えば、シート２５の取付けを行った後にペット１を洗浄水受けトレイ１７に乗せるようにしてもよい。
【００３３】
洗浄の前段階の準備が終了した後、水道などから給水ホース６を介してスライド体２２内に洗浄水を供給する。供給された洗浄水は洗浄水ノズル２４から散水され、ペット１の体を洗浄することができる。
【００３４】
この洗浄時において、スライド体２２がガイド部材２１に保持され、スライド体２２の洗浄水ノズル２４がペット１の胴体の表面との間に隙間をもって開口しているので、洗浄水ノズル２４がペット１の胴体の表面に密着して閉止されるということが起こらない。このため、洗浄水ノズル２４からの洗浄水の散水が良好に行われ、洗浄力が高くなる。
【００３５】
また、この洗浄時において、スライド体２２をガイド部材２１に沿ってペット１の胴体の前後方向へスライドさせることにより、洗浄したい箇所を集中的に洗浄することができる。このスライド操作は、スライド体２２を手でもってスライドさせることにより行える。
【００３６】
スライド体２２をガイド部材２１に沿ってスライドさせるとき、２組のジッパー２６は、一方が開くとともに他方が閉じるように動作するので、スライド体２２をスライドさせてもスリットが大きく開口することは起こらず、スリットからの水はねを防止できる。
【００３７】
なお、本実施の形態では、ガイド部材２１としてスライド体２２をスライド自在に支持する機能を有するものを例に挙げて説明したが、第１の実施の形態で説明したように、中空状のパイプ３を用いてもよい。この場合には、第１の実施の形態と同じように、パイプ３内へ洗浄水を供給するとともにその洗浄水をパイプ３に形成された洗浄水ノズル５から散水させることができ、ペット１の洗浄性能をより高めることができる。
【００３８】
【発明の効果】
本発明のペット洗浄装置によれば、洗浄水ノズルが形成されている中空体はペットの胴体との間に隙間をもって保持部材に取付けられているので、洗浄水ノズルがペットの胴体の表面に密着して閉止されるということが起こらず、洗浄水ノズルからの洗浄水の散水を良好に行うことができ、洗浄力を高めることができる。
【図面の簡単な説明】
【図１】本発明の第１の実施の形態のペット洗浄装置を示す斜視図である。
【図２】その一部を示す斜視図である。
【図３】その一部を示す正面図である。
【図４】本発明の第２の実施の形態のペット洗浄装置を示す斜視図である。
【図５】その一部を示す斜視図である。
【図６】その一部を示す正面図である。
【符号の説明】
１      ペット
２      保持部材
３      中空体
４      給水口
５      洗浄水ノズル
７      ポンプ
９      シート
１１      切れ込み部
１７      洗浄水受けトレイ
２１      ガイド部材
２２      スライド体
２３      給水口
２４      洗浄水ノズル
２５      シート
２６      ジッパー
【図１】
2004290139.tif 000003
【図２】
2004290139.tif 000004
【図３】
2004290139.tif 000005
【図４】
2004290139.tif 000006
【図５】
2004290139.tif 000007
【図６】
2004290139.tif 000008